【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
モバイルコンピューティング装置によるコンテンツの捕捉の前に前記コンテンツの配信および捕捉を構成するためのシステムであって、
複数のコンテンツの宛先のうちの１つまたは複数にそれぞれ関連付けられた複数の構成データセットを格納するためのメモリーエリアであって、前記モバイルコンピューティング装置に関連付けられたメモリーエリアと、
前記モバイルコンピューティング装置によりコンテンツを捕捉する前に、選択基準に基づいて、捕捉されたコンテンツを送信するためのコンテンツの宛先の組を自動的に識別し、
前記モバイルコンピューティング装置上に表示するために、前記識別されたコンテンツの宛先の組を提供し、
前記モバイルコンピューティング装置のユーザーから、前記提供されたコンテンツの宛先の組からの複数のコンテンツの宛先の選択であって、選択されたうちの少なくとも２つが異なるフォーマットを有する選択を受信し、
前記メモリーエリアから、前記選択されたコンテンツの宛先に対応する前記構成データセットにアクセスし、
前記モバイルコンピューティング装置によりコンテンツを捕捉する前に、前記選択されたコンテンツの宛先に対応する前記アクセスされた構成データセットに基づいて前記モバイルコンピューティング装置上のコンテンツ捕捉設定を調整し、
前記調整されたコンテンツ捕捉設定に従って前記コンテンツを捕捉し、
前記捕捉されたコンテンツを、前記モバイルコンピューティング装置から前記選択されたコンテンツの宛先のそれぞれに送信する
ようにプログラムされたプロセッサーと
を含むシステム。
【請求項２】
前記プロセッサーが、前記コンテンツとして、音声データ、映像データ、および静止画データのうちの１つまたは複数を捕捉するようにプログラムされた請求項１に記載のシステム。
【請求項３】
前記プロセッサーが、前記選択されたコンテンツの宛先のそれぞれについて処理されたコンテンツを生成するために、前記アクセスされた構成データセットのそれぞれに従って前記捕捉されたコンテンツを処理するようにさらにプログラムされ、前記プロセッサーが、前記処理されたコンテンツを前記それぞれのコンテンツの宛先に送信するようにプログラムされた請求項１に記載のシステム。
【請求項４】
前記ユーザーから前記複数のコンテンツの宛先の前記選択を受信するための手段をさらに含む請求項１に記載のシステム。
【請求項５】
前記捕捉されたコンテンツを自動フォーマットし、前記選択されたコンテンツの宛先に配信するための手段をさらに含む請求項１に記載のシステム。
【請求項６】
複数のコンテンツの宛先のうちの１つまたは複数にそれぞれ関連付けられた複数の構成データセットを格納するステップであって、前記複数の構成データセットのそれぞれが１つまたは複数のコンテンツ捕捉設定値を含む、ステップと、
コンピューティング装置によるコンテンツの捕捉の前に、選択基準に基づいて、捕捉されたコンテンツを送信するための複数の前記コンテンツの宛先を選択するステップであって、選択されたうちの少なくとも２つが異なるフォーマットを有する、ステップと、
前記選択されたコンテンツの宛先に対応する前記格納された構成データセットを識別するステップと、
前記コンピューティング装置によるコンテンツの捕捉前に、前記選択されたコンテンツの宛先に対応する前記識別された構成データセットからの前記コンテンツ捕捉設定値のうちの１つまたは複数を前記コンピューティング装置に適用するステップであって、前記コンピューティング装置が前記適用されたコンテンツ捕捉設定値に従ってコンテンツを捕捉する、ステップと、
前記捕捉されたコンテンツを、前記コンピューティング装置から前記選択されたコンテンツの宛先のそれぞれに送信するステップと
を含む方法。
【請求項７】
前記選択されたコンテンツの宛先のそれぞれについて処理されたコンテンツを生成するために、前記識別された構成データセットのそれぞれに従って前記捕捉されたコンテンツを処理するステップと、
前記処理されたコンテンツを前記それぞれのコンテンツの宛先に送信するステップと
をさらに含む請求項６に記載の方法。
【請求項８】
前記識別された構成データセットのうちの１つを選択するステップと、
前記識別された構成データセットのうちの前記選択された１つから前記コンテンツ捕捉設定値を前記コンピューティング装置に適用するステップであって、前記コンピューティング装置が前記適用されたコンテンツ捕捉設定値に従ってコンテンツを捕捉する、ステップと、
処理されたコンテンツを生成するために、前記選択された構成データセット以外の前記構成データセットのそれぞれに従って前記捕捉されたコンテンツを処理するステップと、
前記捕捉されたコンテンツを、前記選択された構成データセットに関連付けられた前記コンテンツの宛先に送信するステップと、
前記選択された構成データセット以外の前記構成データセットにそれぞれ関連付けられた前記コンテンツの宛先のそれぞれに前記処理されたコンテンツを送信するステップと
をさらに含む請求項６に記載の方法。
【請求項９】
前記コンピューティング装置上に表示するために、前記複数のコンテンツの宛先のうちの１つまたは複数のリストを提供するステップをさらに含む請求項６に記載の方法。
【請求項１０】
ジオタグを前記捕捉されたコンテンツに追加するステップをさらに含む請求項６に記載の方法。
【請求項１１】
前記複数のコンテンツの宛先を選択するステップが、ユーザーからバーコードを受信するステップを含み、前記格納された構成データセットを識別するステップが、前記バーコードに基づいて前記格納された構成データセットを識別するステップを含む請求項６に記載の方法。
【請求項１２】
前記複数のコンテンツの宛先を選択するステップが、以下のユーザーアクション、すなわち前記コンピューティング装置の画面にタッチするアクション、前記コンピューティング装置を傾けるアクション、前記コンピューティング装置の画面上でジェスチャーで示すアクション、および前記コンピューティング装置を指ではじくアクションのうちの１つまたは複数を介して、選択を受信するステップを含む請求項６に記載の方法。
【請求項１３】
前記コンテンツ捕捉設定値のうちの前記１つまたは複数を適用する前に、
ユーザーに前記コンテンツ捕捉設定値のうちの前記１つまたは複数を提供するステップと、
前記ユーザーから、前記提供されたコンテンツ捕捉設定値のうちの少なくとも１つへの変更を受信するステップと
をさらに含む請求項６に記載の方法。
【請求項１４】
ユーザーからユーザーの宛先の識別を受信するステップと、
前記ユーザーから前記コンテンツの捕捉設定値のうちの少なくとも１つを受信するステップと、
前記コンテンツ捕捉設定値のうちの前記受信した少なくとも１つを前記ユーザーの宛先に関連付けるステップと、
前記ユーザーの宛先を前記複数のコンテンツの宛先のうちの１つとして格納するステップと
をさらに含む請求項６に記載の方法。
【請求項１５】
複数のコンテンツの宛先のうちの１つまたは複数にそれぞれ関連付けられた複数の構成データセットを格納するためのメモリー構成要素であって、前記複数の構成データセットのそれぞれが１つまたは複数のコンテンツ捕捉設定値を含む、メモリー構成要素と、
コンピューティング装置によるコンテンツの捕捉前に、前記コンピューティング装置のユーザーからの入力無しに、選択基準を評価して、捕捉されたコンテンツを送信するための前記複数のコンテンツの宛先のうちの１つまたは複数を識別するファクター構成要素であって、識別されたうちの少なくとも２つが異なるフォーマットを有する、ファクター構成要素と、
前記コンピューティング装置によるコンテンツの捕捉の前に、前記識別されたコンテンツの宛先に対応する前記格納された構成データセットを識別し、前記識別されたコンテンツの宛先に対応する前記識別された構成データセットからの前記コンテンツ捕捉設定値のうちの１つまたは複数を前記コンピューティング装置に適用するための調整構成要素であって、前記コンピューティング装置が前記適用されたコンテンツ捕捉設定値に従ってコンテンツを捕捉する、調整構成要素と、
前記捕捉されたコンテンツを前記コンピューティング装置から前記選択されたコンテンツの宛先のそれぞれに送信するためのインターフェイス構成要素と
をさらに含む請求項６に記載の方法。